(57)【要約】【課題】トレッド部の偏摩耗を改善し、ベルト耐久性を向上させる。【解決手段】２層の主ベルト１２、１３と、タイヤ周方向に対して実質的に０°の角度でスチールコードを延在させた０°ベルト１５とを備えたタイヤ断面の扁平率が６５％以下の大型空気入りラジアルタイヤＴにおいて、前記０°ベルトを構成するスチールコードが、ｍ×ｎ構造（ｍ＝３〜４、ｎ＝２〜４）で、かつストランド並びにコードの撚り方向が同方向である複撚り構造であり、該スチールコードの直径は前記主ベルトを構成するスチールコードの直径より小径であり、縦軸を荷重（Ｎ）、横軸を伸び（％）とするＳ−Ｓ曲線において、変曲点Ｚを有し、前記低荷重域での傾きの接線Ｘと前記変曲点Ｚ以降の傾きの接線Ｙとの交点の伸びＡ（％）が１．０％未満である。【選択図】図２
2010018942.tif 000002
【特許請求の範囲】
【請求項１】
左右一対のビードコアにて両端部が係止されたカーカスと、トレッド部における前記カーカスの外周側で、互いに交差し延在させたスチールコードを含む少なくとも２層の主ベルトと、タイヤ周方向に対して実質的に０°の角度で延在させたスチールコードを含む０°ベルトとを備えたタイヤ断面の扁平率が６５％以下の大型空気入りラジアルタイヤに用いられる、上記０°ベルトを構成するスチールコードであって、
前記０°ベルトを構成するスチールコードが、ｍ×ｎ構造（ｍ＝３〜５、ｎ＝２〜４）で、かつストランド並びにコードの撚り方向が同方向である複撚り構造であり、該スチールコードの直径は前記主ベルトを構成するスチールコードの直径より小径であり、
該タイヤのトレッド中央部より取り出した前記０°ベルトのスチールコードは、縦軸を荷重（Ｎ）、横軸を伸び（％）とするＳ−Ｓ曲線において、低荷重域では緩やかな傾きで、荷重が大きくなると傾きが大きくなる変曲点Ｚを有し、前記低荷重域での傾きの接線と前記変曲点Ｚ以降の傾きの接線との交点の伸びＡ（％）が１．０％未満であることを特徴とする、スチールコード。
【請求項２】
直径が１ｍｍ未満であることを特徴とする請求項１に記載のスチールコード。
【発明の詳細な説明】
【技術分野】
【０００１】
本発明は、大型空気入りラジアルタイヤ用スチールコードに関し、さらに詳しくはトラック・バス用に好適な低扁平率の空気入りラジアルタイヤ用スチールコードに関するものである。
【背景技術】
【０００２】
近年、トラック輸送の効率向上を目的として、特にヨーロッパのトラックメーカーでは、トラックの開発を積極的に押し進め、それに伴い耐久性能に優れた偏平率が６５％以下のトラックやバス用の大型空気入りラジアルタイヤの開発が要望されている。
【０００３】
このスーパーシングルタイヤと呼ばれる扁平率の小さい空気入りラジアルタイヤでは、ベルト幅が従来タイヤよりも広くなるため、走行時にトレッドのショルダー部付近の外径がトレッド中央部の外径よりも成長し大きく変形しやすい傾向にあり、偏磨耗が発生しやすくなっている。また、ベルト部の剛性不足により、ベルト部に歪みが大きくかかることから、接着破壊などに起因するベルト耐久性の低下の一因となっている。
【０００４】
この偏摩耗や耐久性の低下を改善するため、ワーキングベルト（主ベルト）間、或いはワーキングベルトとカーカスプライの間に、スチールコードからなる付加プライをタイヤ周方向に対して実質的に０°の角度で配設したラジアルタイヤが提案されている（例えば、特許文献１〜３）。
【０００５】
かかるタイヤによれば、従来のワーキングベルトのみを配したタイヤに比して、タイヤへの内圧充填時、及びタイヤの走行時における、トレッド部の半径方向外方への成長を効果的に抑制し、またベルト部の歪みを分散して耐偏磨耗性や耐久性能を高めることができると考えられる。
【先行技術文献】
【特許文献】
【０００６】
【特許文献１】特表２０００−５０４６５５号公報
【特許文献２】特表２００１−５１２０６７号公報
【特許文献３】特開２００６−１１１２１７号公報
【発明の開示】
【発明が解決しようとする課題】
【０００７】
しかし、上記特許文献１〜２に記載のように、ワーキングベルトよりもコード径の大きいスチールコードや波状のクセ付けを施したスチールコードを０°ベルトに用いた場合、ベルト層の厚みが厚くなり、走行に伴うベルト部の発熱や熱の蓄積が大きくなり早期に接着破壊などのベルト故障を発生させることがあり、さらに、タイヤの加硫時間が長くなることからタイヤ生産性が低下するという問題もある。また、特許文献３に記載のように、ベルト層に高密度部と低密度部を有する０°ベルトを形成するものは、高密度部と低密度部をベルト層に配置するための成形工程が煩雑となり、さらに低密度部に応力が集中し発熱や偏磨耗を発生しやすくすることが考えられる。
【０００８】
本発明は上記問題に鑑みてなしたもので、トレッド部の偏摩耗を改善し、ベルト耐久性の向上に寄与する、重荷重用途のトラック・バス用に好適な低扁平率の大型空気入りラジアルタイヤに適するスチールコードを提供することを目的とする。
【課題を解決するための手段】
【０００９】
本発明は、上記従来技術の問題点を解決すべく鋭意検討した結果なされたものであり、左右一対のビードコアにて両端部が係止されたカーカスと、トレッド部における前記カーカスの外周側で、互いに交差し延在させたスチールコードを含む少なくとも２層の主ベルトと、タイヤ周方向に対して実質的に０°の角度で延在させたスチールコードを含む０°ベルトとを備えたタイヤ断面の扁平率が６５％以下の大型空気入りラジアルタイヤに用いられる、上記０°ベルトを構成するスチールコードに関する。この発明による前記０°ベルトを構成するスチールコードは、ｍ×ｎ構造（ｍ＝３〜５、ｎ＝２〜４）で、かつストランド並びにコードの撚り方向が同方向である複撚り構造であり、該スチールコードの直径は前記主ベルトを構成するスチールコードの直径より小径であり、該タイヤのトレッド中央部より取り出した前記０°ベルトのスチールコードは、縦軸を荷重（Ｎ）、横軸を伸び（％）とするＳ−Ｓ曲線において、低荷重域では緩やかな傾きで、荷重が大きくなると傾きが大きくなる変曲点Ｚを有し、前記低荷重域での傾きの接線と前記変曲点Ｚ以降の傾きの接線との交点の伸びＡ（％）が１．０％未満であることを特徴とする。
【００１０】
一実施態様では、前記０°ベルトを構成するスチールコードの直径が１ｍｍ未満であることを特徴とする。
【００１１】
前記０°ベルトの単位幅当たりのベルト強力（Ｎ／２５．４ｍｍ）が１４０００Ｎ以上であると好ましい。
【００１２】
一実施態様では、前記０°ベルトが、前記主ベルトの間、及び前記主ベルトのタイヤ内周側で前記カーカスとの間のいずれかの層間のうちで、少なくとも１箇所に配されている。
【発明の効果】
【００１３】
本発明によれば、０°ベルトに特定の複撚り構造からなるｍ×ｎ構造のスチールコードを含ませることにより、タイヤ加硫成形時のトレッド中央部と該トレッド中央部からトレッド両端部に至るトレッドのショルダー部付近との拡張率の差によっても、０°ベルトスチールコードの低荷重域での伸びを調整することができる。これにより、０°ベルトによるトレッド幅方向での応力歪みを均等化し、応力集中を分散することができるので、タイヤへの内圧充填時やタイヤの走行時におけるタイヤ幅方向及び周方向のベルト剛性と拘束性を均一かつ向上し、タイヤの成長を抑えることで、偏摩耗の発生を抑制しタイヤの耐久性を向上することができる。
【図面の簡単な説明】
【００１４】
【図１】実施形態の空気入りラジアルタイヤの半断面図である。
【図２】実施形態のベルト構成を模式的に示す断面図である。
【図３】実施形態のｍ×ｎ構造スチールコードの断面図である。
【図４】ｍ×ｎ構造スチールコードのＳ−Ｓ曲線の１例を示すグラフである。
【図５】従来例のベルト構成を模式的に示す断面図である。
【発明を実施するための最良の形態】
【００１５】
以下に、本発明に係るスチールコードを用いた大型空気入りラジアルタイヤを図面を参照し説明する。
【００１６】
図１は、重荷重用の空気入りラジアルタイヤの１例を示すタイヤＴの半断面図であり、符号１は５枚のベルト層からなるベルト、符号２はカーカス、符号３はトレッド部、符号４はビード部、符号５はサイドウォール部をそれぞれ示す。
【００１７】
タイヤＴは、左右一対のビード部４間に、タイヤ幅方向に延在するスチールコードをタイヤ周方向に所定間隔で配列した１枚のカーカス２を有する。カーカス２は、その両端部がビード部３に埋設されたビードコア６の周りにビードフィラー７を挟み込むようにしてタイヤの内側から外側に折り返され係止されている。トレッド部３におけるカーカス２の外周側には、５枚のベルト層からなるベルト１が配設されている。
【００１８】
図２は、実施形態のタイヤＴのトレッド部３の断面を模式的に示し、ベルト構成を説明するものである。図２において、ベルト１は、タイヤ半径方向内側から、第１ベルト１１、第２ベルト１２、第３ベルト１３、第４ベルト１４が配設され、第２ベルト１２と第３ベルト１３との間に０°ベルト１５が配された５層のベルトで構成されている（第１〜４ベルトは破線、０°ベルトは実線で示す）。
【００１９】
第２ベルト１２と第３ベルト１３は、タイヤの主ベルト（ワーキングベルト）をなすベルト層であり、従来より一般的なコード構造（例えば、３+９+１５×０．２３など）を持つベルト用スチールコードが所定間隔でタイヤ周方向に対して所定角度で配列され、互いにコード交差し配設されている。
【００２０】
第４ベルト１４は、耐カット性とゴム侵入性に優れるスチールコードからなるタイヤ周方向に一定角度で配列された保護ベルト層であり、耐外傷耐久性や更新性を向上する、いわゆるハイエロンゲーションコード（例えば、１×５×０．３８、４×４×０．２３など）が使用されることが多くある。
【００２１】
０°ベルト１５は、タイヤ周方向に対して実質的に０°の角度でスチールコードをタイヤ幅方向に所定間隔で配列して延在させた、本発明に係るスチールコードを含むベルト層である。
【００２２】
この０°ベルト１５を構成するスチールコードＣは、図３にその一例を示すように、ｎ本の素線（フィラメント）Ｆを撚り合わせてなるストランドＳを更にｍ本撚り合わせて複撚りコードを形成した、ｍ×ｎ構造のスチールコードである。（図３（ａ）は４×２構造、（ｂ）は３×４構造、（ｃ）は４×４構造のスチールコードの断面図を示す）。
【００２３】
上記ストランドＳは、ｎ本（ｎ＝２〜４）の素線からなり、素線数ｎが１本ではたとえ複撚りのスチールコードとしても低荷重時の伸びが十分に得られず、４本を超えると撚り線時に素線同士が密着しやすくなり、素線間にゴムの侵入する隙間が小さくなりストランドＳ内にゴムが侵入し難くなって錆の発生など耐食性に劣るものとなる。
【００２４】
また、コードＣはｍ本（ｍ＝３〜５）のストランドＳからなり、ストランド数ｍが２本では低荷重時の伸びが十分に引き出せず、加硫時のトレッド中央部の拡張動作が困難となり、ｍが６本以上になると撚り線時に特定のストランドＳがコードの内部に入り込みやすくなり、コードＣの伸びが制限され、特に低荷重域での伸びが得られなくなり、またコード径も大きくなる。
【００２５】
また、上記ｍ×ｎ構造のスチールコードは、ストランドＳ並びにコードＣの撚り方向が同方向である。ストランドＳとコードＣの撚り方向とが異なると、荷重負荷時にストランドＳの撚りを逆方向のコードＣの撚りが締め付けることで、ストランドＳの伸びとコードＣの伸びとが互いに相殺して十分な伸びが得られず、特に低荷重域での伸び特性の調整が困難になる。
【００２６】
上記０°ベルト１５を構成するｍ×ｎ構造スチールコードＣは、その直径が主ベルト１２、１３を構成するスチールコードよりも小径のコードが用いられる。
【００２７】
ｍ×ｎ構造スチールコードＣの直径が主ベルト１２、１３を構成するスチールコードよりも大径であると、主ベルト１２、１３層間のゴム厚みが増加し、走行時の発熱やその熱の蓄積によって、ゴムの劣化やゴムとスチールコードとの接着破壊などのベルト故障を起こしやすくし、また加硫時間が長くなりタイヤの生産性を低下させるようになる。
【００２８】
このｍ×ｎ構造スチールコードＣの具体的な直径は、特に限定されないが、一般的な大型空気入りラジアルタイヤの主ベルト１２、１３を構成するスチールコードの直径（通常は、１．１〜１．５ｍｍ程度）を考慮すると、直径が１ｍｍ未満であるものが好ましい。１ｍｍ以上になると上記の問題を起しやすくし、また直径が小さくなりすぎると必要なベルト強力の確保が困難になりトレッド形状を維持できなくなるので、その下限は０．８ｍｍ以上であるものが好ましい。
【００２９】
上記ｍ×ｎ構造スチールコードＣを構成する素線は、その素線径は特に限定されないが、０．１３〜０．２３ｍｍ程度のものが好ましい。素線径が０．１３ｍｍ以下では０°ベルト１５のベルト強力を確保し難く、またコードの剛性不足からベルト剛性を確保しにくくなりタイヤの成長を抑えられず偏磨耗を起こしやすくする。また、０．２３ｍｍを超えると素線が剛直となってｍ×ｎ構造に撚った時にコードＣの伸びが制限され、特に低荷重域での伸びが得られなくなり、またコード径も大きくなり上記の発熱や熱の蓄積によるベルト故障を起こしやすくする。
【００３０】
また、上記ｍ×ｎ構造スチールコードＣを撚り合わせるための撚りピッチ（ｍｍ）は、ストランドＳではその素線Ｆの直径の１２〜２０倍が好ましく、コードＣではストランドＳの撚りピッチの１．５〜２．５倍、さらには１．８〜２．２倍が好ましい。ストランドＳ及びコードＣの撚りピッチがこれらの値より小さいと、低荷重域でのコードの伸びが大きくなってタイヤ加硫時の拡張挙動がタイヤ周方向及び幅方向で不均一になり、タイヤユニフォミティーを悪化させ耐久性を低下させる。また、撚りピッチがこれらの値より大きいと、コードの伸びが十分得られず、特に低荷重域でのコードの伸びが不十分となりトレッド中央部での拡張挙動が困難になる。
【００３１】
また、上記の０°ベルト１５は、幅当りのベルト強力（Ｎ／２５．４ｍｍ）が１４０００Ｎ以上であることが好ましい。ベルト強力が１４０００Ｎ未満であると、０°ベルトにかかる歪みが大きくなり、繰り返しひずみを受ける長距離走行によってコード切れを発生しやすくするので好ましくない。
【００３２】
また、０°ベルト１５のスチールコードＣは、タイヤＴのトレッド中央部より取り出したスチールコードＣにおいて、図４に示すように、縦軸を荷重（Ｎ）、横軸を伸び（％）とするＳ−Ｓ曲線において、低荷重域では緩やかな傾きで、荷重が大きくなると傾きが大きくなる変曲点Ｚを有し、前記低荷重域での傾きの接線Ｘと前記変曲点Ｚ以降の傾きの接線Ｙとの交点の伸びＡ（％）が１．０％未満である。なお、トレッド中央部とは、タイヤセンターラインを中心にトレッド幅の３０％以内の範囲をいう。
【００３３】
これは、Ｓ−Ｓ曲線の低荷重域では、コード軸方向に引張力がかかると各コードＣ及びストランドＳの撚りが伸長されるとともに、各素線がコード内部に侵入したゴムを内側に徐々に締め付けることでゴム弾性により緩やかな傾きを示し、ストランドＳ内の撚りが絞まり素線による締め代がなくなるとコードＣを引っ張る大きな傾きに急変することによるものであり、そのため、両傾きの間で変曲点Ｚを有するようになる。
【００３４】
本発明によれば、スチールコードＣが上記特有の複撚り構造であるため、通常のベルト用スチールコードに対して、低荷重域の傾きを緩やかなものとしつつ、変曲点Ｚ以降の傾きをより急激に立ち上げて、変曲点Ｚを強調することができ、タイヤ加硫時のトレッド中央部と中央部からトレッド両端部に至るショルダー付近での拡張率の差によって０°ベルトコードＣのＳ−Ｓ特性を調整することができる。
【００３５】
通常、タイヤを加硫する場合、ブラダーに内圧を張ってグリーンタイヤを膨らませて外金型に押し付け加熱する方法をとるが、この場合、タイヤ断面方向で見た場合、トレッド中央部が最も拡張され、ショルダー部付近はあまり拡張されない。そのため、トレッド中央部での伸びを前記交点での伸びＡ（％）を１．０％未満に抑えておかないと、ショルダー部付近の０°ベルトコードに大きな伸びが残るようになり、ショルダー部付近のベルト拘束力不足からタイヤの成長を抑えられず偏磨耗や接着破壊などのベルト故障の原因となる。
【００３６】
本発明では、０°ベルトスチールコードＣのトレッド中央部における低荷重域での伸びを規定することで、同時にショルダー部付近のコード伸びを調整することができるようになり、０°ベルト１５によってタイヤＴにかかる応力歪みを均等化し、応力集中を分散することができるので、タイヤへの内圧充填時やタイヤの走行時におけるタイヤ幅方向及び周方向のベルト剛性と拘束性を向上することで、タイヤの成長を抑えて偏摩耗の発生を抑制しタイヤの耐久性を向上することができる。
【００３７】
上記０°ベルト１５のベルト１内での位置関係は特に制限されることはないが、０°ベルト１５のタイヤ半径方向外側に少なくとも一層の前記主ベルトが配されていることが好ましい。すなわち、０°ベルト１５は、主ベルト１２、１３の層間、もしくは主ベルト１２のタイヤ径方向内側で第１ベルト１１と主ベルト１２の層間、またはカーカス２と第１ベルト１１との間に配置することが好ましい。
【００３８】
０°ベルト１５の幅は、最大幅を有するベルト幅の９０％以下であることが好ましく、本実施形態では主ベルト層１３の幅の９０％以下であることが好ましく、これにより、０°ベルトエッジ部分への応力集中を和らげることができ、該応力集中による歪みを受けることに起因するエッジ部分の耐久性低下を防ぐことができる。また、ショルダー部付近のベルト拘束性を維持するためには、最大ベルト幅の７０％以上の幅であることが好ましい。
【００３９】
なお、０°ベルト１５は、主ベルト１３と第４ベルト（トップベルト）１４との間に配設してもよいが、一般に、トップベルト１４は主ベルト１２、１３に対し幅がその９０％以下しかないため、この部分に０°ベルト１５をその外側のベルト層に対して９０％以下の幅で配設すると、０°ベルト１５の幅が狭くなりすぎてショルダー部付近において十分な拘束力を得にくくなる。そのため、０°ベルト１５は上記のように主ベルト１２、１３の間または主ベルト１２とカーカス２の間に配設することが好ましい。
【００４０】
上記０°ベルト１５は、スチールコードＣをタイヤＴの周方向に連続でスパイラル状に巻回して設けることができる。スチールコードＣのコード角度はタイヤ周方向に対して実質的に０°であり、例えば１本のコードＣをタイヤＴの幅方向にずらせながらスパイラル状に巻き付け成形される。コードＣは、０〜５°の角度で、多少角度を有して形成されてもよい。
【００４１】
また、数本のコードＣを引き揃えてゴムで被覆したリボン状の帯状部材を、タイヤ成形の際に成形ドラム１周毎にリボン状の側端部同士を突き合わせながらスパイラル状に巻き付けることにより行われる。このようにスチールコードＣをスパイラル状に連続に巻くことにより、ジョイント等の影響を受けず、十分なベルト剛性が得られる。
【００４２】
以上よりなる本実施形態の大型空気入りラジアルタイヤは、上記構成のスチールコードを含む０°ベルトを具備することにより、タイヤの耐久性と耐偏摩耗性を向上することができ、特にトラック、バス用の重荷重車両に使用される扁平率（タイヤの高さ／タイヤの総幅の比率）が６５％以下のタイヤに好適である。
【実施例】
【００４３】
以下、本発明を実施例によって更に具体的に説明するが、本発明はこれら実施例に限定されるものではない。
【００４４】
図１に示すベルト構成を有するタイヤサイズ３１５／６０Ｒ２２．５  １５２Ｌ  のラジアルタイヤを試作した。０°ベルトは表１、２に記載の各スチールコードを使用し、０°ベルトの幅は主ベルト１３の幅の８６％とした。０°ベルトの配置は、実施例１〜４では主ベルト（第２ベルトと第３ベルト）１２、１３の間、実施例５では第１ベルト１１と第２ベルト１２の間に、実施例６ではカーカス２と第１ベルト１１との間に配置した。
【００４５】
なお、第１〜４ベルトの構成は、実施例、比較例及び従来例で同一とし、次のスチールコードを共通の仕様で使用した。第１ベルトは３×０．２０+６×０．３５、第２、第３ベルトは３+９+１５×０．２３（コード径１．２ｍｍ）、第４ベルトは１×５×０．３８である。また、ベルト以外の各部位には全て共通の部材を使用した。 従来例は、図５に示す０°ベルト未使用の例である。この従来例のタイヤＴ１は、角度付きの第１〜第４ベルト（１１１〜１１４）の４枚のベルト層よりなり、符号１１２、１１３が主ベルトであるベルト１００を具備する空気入りラジアルタイヤである。
【００４６】
上記各タイヤについて、下記の引張試験と室内ドラム試験にてタイヤ耐久性の評価を行った。結果を表１、２に示す。
【００４７】
［引張試験］
各タイヤのトレッド中央部から取り出した０°ベルトコードをゴム付きの状態で引張試験（ＪＩＳ  Ｇ３５１０に準拠）を行い、図４に示すＳ−Ｓ曲線から低荷重域での傾きの接線Ｘと変曲点Ｚ以降の傾きの接線Ｙとの交点の伸びＡ（％）を求めた。
【００４８】
［ベルト耐久性］
表面が平滑な直径１７００ｍｍの鋼製回転ドラムを有するドラム試験機により、周辺温度３８±３℃、タイヤ内圧をＴＲＡ基準空気圧より１００ｋＰａを増し、基準荷重の１２０％を負荷し、速度４２ｋｍ／ｈで一定とし、７日毎に負荷荷重を１２０％から１０％ずつ増加させ、故障が発生するまで走行させた。負荷荷重が１４０％を超えて走行したものを合格として「○」、それ以下を不合格として「×」で示した。
【００４９】
［長距離耐久性］
上記ドラム試験機により、周辺温度３８±３℃、タイヤ内圧をＴＲＡ基準空気圧とし、基準荷重の９０％を負荷し、速度６０ｋｍ／ｈで１５万ｋｍ走行させた後、タイヤを解体しベルト部の状態を観察した。０°ベルトにコード切れの発生があるものを「×」、ないものを合格として「○」で示した。
【００５０】
［高速耐久性］
上記ドラム試験機により、周辺温度３８±３℃、タイヤ内圧をＴＲＡ基準空気圧とし、基準荷重の１５０％を負荷し、速度５６ｋｍ／ｈから２時間毎に８ｋｍ／ｈずつ速度を上昇させ、８０ｋｍ／ｈで６時間走行した。８８ｋｍ／ｈからは１２時間毎に８ｋｍ／ｈずつ上昇させ、故障が発生するまで走行させた。速度が１０４ｋｍ／ｈ以上走行したものを合格として「○」、それ以下を不合格として「×」で示した。
【表１】
2010018942.tif 000003
【表２】
2010018942.tif 000004
【００５１】
表１に示す通り、本発明に係る実施例１〜６では、０°ベルトコードの交点Ａまでの低荷重伸び特性が１％未満にされ、またコード径やベルト強力を確保することでタイヤ幅方向及び周方向でのベルト剛性と拘束性を向上することで、走行時の発熱やタイヤの成長を抑えて偏摩耗の発生を抑制しタイヤの耐久性に優れていた。
【産業上の利用可能性】
【００５２】
以上説明したように、本発明によるスチールコードを用いた大型空気入りラジアルタイヤは、耐偏摩耗性を向上しベルトの耐久性に優れることから重荷重用のトラックやバス用のタイヤに使用することができ、特に扁平率が６５％以下のラジアルタイヤに好適である。
【符号の説明】
【００５３】
１…ベルト
２…カーカス
６…ビードコア
１２、１３…主ベルト
１５…０°ベルト
Ｃ…スチールコード
Ｓ…ストランド
Ｆ…素線
Ｔ…空気入りラジアルタイヤ
Ａ…交点の伸び
Ｘ…低荷重域での傾きの接線
Ｙ…変曲点Ｚ以降の傾きの接線
Ｚ…変曲点
【図１】
2010018942.tif 000005
【図２】
2010018942.tif 000006
【図３】
2010018942.tif 000007
【図４】
2010018942.tif 000008
【図５】
2010018942.tif 000009